(57)【要約】【課題】プラスチックの外郭を備えたＡＣアダプタの熱劣化及び焼損を防止することができるＡＣアダプタのカバーを提供する。【解決手段】ＡＣアダプタのカバーは、ＡＣアダプタの外郭よりも燃えにくい材料で形成された防炎体と、前記防炎体で前記外郭を覆った際に前記外郭に接触した状態で前記防炎体の外部に露出するように、前記防炎体に保持された金属体と、を備えた。当該構成を備えたカバーにより、プラスチックの外郭を備えたＡＣアダプタの熱劣化及び焼損を防止することができる。【選択図】図２
2014193079.tif 000002
【特許請求の範囲】
【請求項１】
ＡＣアダプタの外郭よりも燃えにくい材料で形成された防炎体と、
前記防炎体で前記外郭を覆った際に前記外郭に接触した状態で前記防炎体の外部に露出するように、前記防炎体に保持された金属体と、
を備えたＡＣアダプタのカバー。
【請求項２】
前記防炎体は、布で形成され、前記外郭に接続されたコードの根本に設けられた屈曲支持部よりも前記外郭の外側で前記コードを覆う請求項１に記載のＡＣアダプタのカバー。
【請求項３】
前記防炎体の縁部に設けられた紐、
を備え、
前記防炎体は、前記紐が縛られることで、前記外郭に接続されたコードの根本に設けられた屈曲支持部よりも前記外郭の外側で前記コードを覆う請求項２に記載のＡＣアダプタのカバー。
【請求項４】
前記金属体を前記外郭の外側から押さえ付けるバンド、
を備えた請求項１〜請求項３のいずれか一項に記載のＡＣアダプタのカバー。
【請求項５】
前記金属体は、前記ＡＣアダプタが通電状態にあるときに発光するランプが外部から見えるように形成された穴を有した請求項１〜請求項４のいずれか一項に記載のＡＣアダプタのカバー。
【請求項６】
前記防炎体は、
一側に形成され、開口しない底部と、
他側に形成され、開口した開口部と、
を備えた請求項１〜請求項５のいずれか一項に記載のＡＣアダプタのカバー。
【発明の詳細な説明】
【技術分野】
【０００１】
この発明は、ＡＣアダプタのカバーに関するものである。
【背景技術】
【０００２】
不燃材の外郭を備えたＡＣアダプタが提案されている。当該ＡＣアダプタによれば、内蔵基板等の熱劣化を防止できる。また、ＡＣアダプタ自体が外部の火で焼損することを防止できる（例えば、特許文献１参照）。
【先行技術文献】
【特許文献】
【０００３】
【特許文献１】特開２０１０−２７３４３４号公報
【発明の概要】
【発明が解決しようとする課題】
【０００４】
しかしながら、プラスチック製の外郭を備えたＡＣアダプタも多く使用されている。
【０００５】
この発明は、上述の課題を解決するためになされたもので、その目的は、プラスチックの外郭を備えたＡＣアダプタの熱劣化及び焼損を防止することができるＡＣアダプタのカバーを提供することである。
【課題を解決するための手段】
【０００６】
この発明に係るＡＣアダプタのカバーは、ＡＣアダプタの外郭よりも燃えにくい材料で形成された防炎体と、前記防炎体で前記外郭を覆った際に前記外郭に接触した状態で前記防炎体の外部に露出するように、前記防炎体に保持された金属体と、を備えたものである。
【発明の効果】
【０００７】
この発明によれば、プラスチックの外郭を備えたＡＣアダプタの熱劣化及び焼損を防止することができる。
【図面の簡単な説明】
【０００８】
【図１】この発明の実施の形態１におけるＡＣアダプタのカバーを利用するＡＣアダプタの平面図である。
【図２】この発明の実施の形態１におけるＡＣアダプタのカバーで包まれたＡＣアダプタの平面図である。
【図３】この発明の実施の形態１におけるＡＣアダプタのカバーの平面図である。
【図４】この発明の実施の形態２におけるＡＣアダプタのカバーで包まれたＡＣアダプタの平面図である。
【図５】この発明の実施の形態３におけるＡＣアダプタのカバーで包まれたＡＣアダプタの平面図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるＡＣアダプタのカバーを利用するＡＣアダプタの平面図である。
【００１１】
図１のＡＣアダプタは、ノートパソコン等の電源装置として使用される。ＡＣアダプタの外郭１は、直方体状に形成される。外郭１は、プラスチックで形成される。外郭１には、基板（図示せず）が内蔵される。基板には、トランス等の電子部品（図示せず）が内蔵される。
【００１２】
外郭１の長手方向の一側の側面には、ＡＣ入力コード２が接続される。外郭１の長手方向の一側の側面には、屈曲支持部３が設けられる。屈曲支持部３は、柔軟性を有する。屈曲支持部３は、ＡＣ入力コード２の根本の外周面を覆う。外郭１の長手方向の他側の側面には、ＤＣ出力コード４が接続される。外郭１の長手方向の他側の側面には、屈曲支持部５が設けられる。屈曲支持部５は、柔軟性を有する。屈曲支持部５は、ＤＣ出力コード４の根本の外周面を覆う。
【００１３】
次に、図２を用いて、ＡＣアダプタのカバーを説明する。
図２はこの発明の実施の形態１におけるＡＣアダプタのカバーで包まれたＡＣアダプタの平面図である。
【００１４】
図２に示すように、カバーは、防炎シート６、金属板７、紐８、ゴムバンド９を備える。
【００１５】
防炎シート６は、防炎体として、ＡＣアダプタ全体を包み込む。金属板７の一方の上面は、金属体として、外郭１の下面に接触する。金属板７の一方の下面は、防炎シート６の下方に露出する。金属板７の他方の下面は、金属体として、外郭１の上面に接触する。金属板７の他方の上面は、防炎シート６の上方に露出する。
【００１６】
紐８の一方は、防炎シート６の一側で結ばれる。その結果、屈曲支持部３よりも外郭１の外側において、防炎シート６とＡＣ入力コード２との間の隙間がなくなる。紐８の他方は、防炎シート６の他側で結ばれる。その結果、屈曲支持部５よりも外郭１の外側において、防炎シート６とＤＣ出力コード４との間の隙間がなくなる。ゴムバンド９は、環状に形成される。ゴムバンド９は、金属板７の中央部を外郭１側に押し付ける。その結果、金属板７は、外郭１を鉛直方向から挟み込んだ状態で保持される。すなわち、金属板７は、外郭１に密着した状態に維持される。
【００１７】
次に、図３を用いて、防炎シート６、金属板７、紐８の詳細を説明する。
図３はこの発明の実施の形態１におけるＡＣアダプタのカバーの平面図である。
【００１８】
図３に示すように、防炎シート６は、矩形状に形成される。例えば、防炎シート６は、不燃性又は難燃性の布で形成される。具体的には、防炎シート６は、外郭１よりも燃えにくい材料で形成される。防炎シート６には、２つの穴６ａが形成される。２つの穴６ａは、矩形状に形成される。金属板７は、矩形状に形成される。金属板７は、穴６ａを貫通する。その結果、金属板７は、所定の距離を確保して配置される。金属板７は、接着等により防炎シート６に固定される。すなわち、金属板７は、防炎シート６と一体化する。紐８は、防炎シート６の両縁部に取り付けられる。
【００１９】
以上で説明した実施の形態１によれば、金属板７は、外郭１に接触する。この際、金属板７は、防炎シート６の外部に露出する。このため、プラスチックの外郭１を備えたＡＣアダプタの熱劣化及び焼損を防ぐことができる。その結果、火災現場において、ＡＣアダプタが発火源ではないことを主張することができる。
【００２０】
また、防炎シート６は、屈曲支持部３よりも外郭１の外側でＡＣ入力コード２を覆う。このため、屈曲支持部３におけるＡＣ入力コード２の断線を防止できる。
【００２１】
また、防炎シート６は、屈曲支持部５よりも外郭１の外側でＤＣ出力コード４を覆う。このため、屈曲支持部５におけるＤＣ出力コード４の断線を防止できる。
【００２２】
この際、防炎シート６の縁部は、紐８で縛られる。このため、外部の火が防炎シート６内に侵入することを確実に防止できる。
【００２３】
また、金属板７は、ゴムバンド９により外郭１側へ押し付けられる。その結果、金属板７と外郭１との密着が維持される。このため、ＡＣアダプタの放熱性を維持できる。
【００２４】
実施の形態２．
図４はこの発明の実施の形態２におけるＡＣアダプタのカバーで包まれたＡＣアダプタの平面図である。なお、実施の形態１と同一又は相当部分には同一符号を付して説明を省略する。
【００２５】
実施の形態２の金属板７は、実施の形態１の金属板７と異なる。実施の形態２の金属板７には、穴７ａが形成される。当該穴７ａは、外郭１に設けられたランプ１０が外側から見えるように形成される。ランプ１０は、ＡＣアダプタが通電していないときに消灯する。ランプ１０は、ＡＣアダプタが通電しているときに点灯する。
【００２６】
以上で説明した実施の形態２によれば、金属板７の外側からランプ１０を見ることができる。このため、ＡＣアダプタの通電状態を外部から確認することができる。
【００２７】
実施の形態３．
図５はこの発明の実施の形態３におけるＡＣアダプタのカバーで包まれたＡＣアダプタの平面図である。なお、実施の形態１と同一又は相当部分には同一符号を付して説明を省略する。
【００２８】
実施の形態３の防炎シート６は、実施の形態２の防炎シート６と異なる。実施の形態３の防炎シート６は、袋状に形成される。すなわち、防炎シート６の一側には、底部が形成される。底部は、開口しない。防炎シート６の他側には、開口部が形成される。開口部は開口する。開口部には、紐８が取り付けられる。ＡＣ入力コード２とＤＣ出力コード４とは、防炎シート６の開口部から同一方向に外側に出る。
【００２９】
以上で説明した実施の形態３によれば、防炎シート６は、袋状に形成される。この場合、紐８は１本あればよい。このため、実施の形態１に同様の効果に加え、部品数を削減し、紐８を結ぶ作業を削減できる。
【００３０】
なお、実施の形態２と同様に、ランプ１０が外側から見えるように金属板７に穴７ａを形成してもよい。この場合、ＡＣアダプタの通電状態を外部から確認することができる。
【００３１】
また、実施の形態１〜実施の形態３において、金属板７は、銅、アルミ、鉄等で形成すればよい。金属板７をアルミで形成すれば、カバーの重量を軽くすることができる。金属板７を鉄で形成すれば、カバーを安価に製作することができる。
【００３２】
また、実施の形態１〜実施の形態３において、金属板７で外郭１を水平方向から挟み込んでもよい。この場合も、プラスチックの外郭１を備えたＡＣアダプタの熱劣化及び焼損を防ぐことができる。
【００３３】
また、実施の形態１〜実施の形態３において、防炎シート６と紐８とを一体化してもよい。すなわち、紐８を防炎シート６と同一の材料で形成してもよい。この場合も、紐８を縛ることにより、外部の火が防炎シート６内に侵入することを防止できる。
【００３４】
また、実施の形態１〜実施の形態３において、ＡＣアダプタをカバーで覆うだけで、プラスチックの外郭１を備えたＡＣアダプタの熱劣化及び焼損を防ぐことができる。このため、既存のＡＣアダプタにおいても、カバーを適用することができる。また、寸法が多少異なるＡＣアダプタにおいても、カバーを適用することができる。
【符号の説明】
【００３５】
１  外郭、  ２  ＡＣ入力コード、  ３  屈曲支持部、  ４  ＤＣ出力コード、  ５  屈曲支持部、  ６  防炎シート、  ６ａ  穴、  ７  金属板、  ７ａ  穴、  ８  紐、  ９  ゴムバンド、  １０  ランプ
【図１】
2014193079.tif 000003
【図２】
2014193079.tif 000004
【図３】
2014193079.tif 000005
【図４】
2014193079.tif 000006
【図５】
2014193079.tif 000007